(57)【要約】【課題】電装品の操作部用の穴部から浸入する水に対して、電装品を充分に保護することができる洗濯機を提供する。【解決手段】洗濯機は、その壁面の内方にあって回動軸における内方の端部側に配置され回動操作部の回動操作に基づき操作される電装品本体と、壁面の内方側に位置して回動軸に設けられ貫通穴より径大なフランジ状の鍔部と、鍔部の外周部に一体的に設けられ前記内方に向けて延設された外周リブと、回動軸に挿通される挿通穴を有し、鍔部と電装品本体との間にあって、当該電装品本体の前記外方側を覆うように配置された覆い部材と、覆い部材に一体的に設けられ挿通穴を構成する筒状の内周リブとを備え、覆い部材の内周リブは、鍔部の外周リブより径小で且つ上方に向けて延設されている。【選択図】図２
2015160076.tif 000002
【特許請求の範囲】
【請求項１】
電装品を操作するための回動操作部を有する洗濯機において、
前記洗濯機の外殻をなす壁面を貫通する貫通穴に対して、その貫通する方向に延びるように配置された回動軸と、
前記壁面の外方側からの操作が可能で、前記回動軸における前記外方の端部に設けられた前記回動操作部と、
前記壁面の内方にあって前記回動軸における前記内方の端部側に配置され、前記回動操作部の回動操作に基づき操作される電装品本体と、
前記壁面の内方側に位置して前記回動軸に設けられ、前記貫通穴より径大なフランジ状の鍔部と、
前記鍔部の外周部に一体的に設けられ、前記内方に向けて延設された外周リブと、
前記回動軸に挿通される挿通穴を有し、前記鍔部と前記電装品本体との間にあって、当該電装品本体の前記外方側を覆うように配置された覆い部材と、
前記覆い部材に一体的に設けられ、前記挿通穴を構成する筒状の内周リブと、を備え、
前記覆い部材の前記内周リブは、前記鍔部の前記外周リブより径小で且つ上方に向けて延設されていることを特徴とする洗濯機。
【請求項２】
前記覆い部材の前記内周リブと前記鍔部の前記外周リブとは、前記回動軸の径方向から見て当該リブ同士が重なり合うように延設することで、前記外周リブで前記内周リブを囲繞するラビリンス構造としたことを特徴とする請求項１記載の洗濯機。
【請求項３】
前記鍔部の外周部に、前記外周リブとは反対方向に、前記壁面との間隔を狭めるように突設された壁側リブを有することを特徴とする請求項１または２記載の洗濯機。
【請求項４】
電装品を操作するための回動操作部を有する洗濯機において、
前記洗濯機の外殻をなす壁面のうちの側壁面を貫通する貫通穴に対して、その貫通する方向である横方向に延びるように配置された回動軸と、
前記側壁面の外方側からの操作が可能で、前記回動軸における前記外方の端部に設けられた前記回動操作部と、
前記側壁面の内方にあって前記回動軸における前記内方の端部側に配置され、前記回動操作部の回動操作に基づき操作される電装品本体と、
前記側壁面の内方側に位置して前記回動軸に設けられ、前記貫通穴より径大なフランジ状の鍔部と、を備え、
前記回動軸の前記鍔部を前記側壁面に近接させたことを特徴とする洗濯機。
【請求項５】
前記電装品本体を囲う形状をなし、前記側壁面に対して当該電装品本体を取付けるための取付部材を備え、
前記取付部材は、その底部に開口部を有するとともに、前記側壁面に対して密着するように固定されていることを特徴とする請求項４記載の洗濯機。
【請求項６】
前記側壁面における前記貫通穴の周縁部に、当該側壁面の外方に突出する凸部を設けたことを特徴とする請求項４または５記載の洗濯機。
【発明の詳細な説明】
【技術分野】
【０００１】
本実施形態は、洗濯機に関する。
【背景技術】
【０００２】
従来より、洗濯機（例えば二槽式洗濯機）では、運転の終了や異状の発生を報知するブザー等の電装品が用いられている。このものでは、洗濯機の操作パネルに形成された上下に開口する操作穴部から、横軸状ダイヤルの外周の一部が突出しており、このダイヤルを回動操作することで、ブザーの音量調節を行うようになっている。
【先行技術文献】
【特許文献】
【０００３】
【特許文献１】特開平６−１８２０９２号公報
【発明の概要】
【発明が解決しようとする課題】
【０００４】
しかしながら、上記の洗濯機では、ブザーを操作するための操作穴部から水が浸入しやすく、その浸入した水がブザーにかかり、錆や故障を発生させる原因となることが懸念される。
そこで、電装品の操作部用の穴部から浸入する水に対して、電装品を充分に保護することができる洗濯機を提供する。
【課題を解決するための手段】
【０００５】
本実施形態の洗濯機は、電装品を操作するための回動操作部を有するものであり、前記洗濯機の外殻をなす壁面を貫通する貫通穴に対して、その貫通する方向に延びるように配置された回動軸と、前記壁面の外方側からの操作が可能で、前記回動軸における前記外方の端部に設けられた前記回動操作部と、前記壁面の内方にあって前記回動軸における前記内方の端部側に配置され、前記回動操作部の回動操作に基づき操作される電装品本体と、前記壁面の内方側に位置して前記回動軸に設けられ、前記貫通穴より径大なフランジ状の鍔部と、前記鍔部の外周部に一体的に設けられ、前記内方に向けて延設された外周リブと、前記回動軸に挿通される挿通穴を有し、前記鍔部と前記電装品本体との間にあって、当該電装品本体の前記外方側を覆うように配置された覆い部材と、前記覆い部材に一体的に設けられ、前記挿通穴を構成する筒状の内周リブと、を備え、前記覆い部材の前記内周リブは、前記鍔部の前記外周リブより径小で且つ上方に向けて延設されていることを特徴とする。
【０００６】
また、本実施形態の洗濯機は、電装品を操作するための回動操作部を有するものであり、前記洗濯機の外殻をなす壁面のうちの側壁面を貫通する貫通穴に対して、その貫通する方向である横方向に延びるように配置された回動軸と、前記側壁面の外方側からの操作が可能で、前記回動軸における前記外方の端部に設けられた前記回動操作部と、前記側壁面の内方にあって前記回動軸における前記内方の端部側に配置され、前記回動操作部の回動操作に基づき操作される電装品本体と、前記側壁面の内方側に位置して前記回動軸に設けられ、前記貫通穴より径大なフランジ状の鍔部と、を備え、前記回動軸の前記鍔部を前記側壁面に近接させたことを特徴とする。
【図面の簡単な説明】
【０００７】
【図１】第１実施形態について、ブザーの操作部と共に示す洗濯機上部の斜視図
【図２】ブザー近傍部における縦断拡大側面図
【図３】第２実施形態について、ブザーの操作部と共に示す洗濯機上部の背面側からの斜視図
【図４】図２相当図
【図５】ブザーを取付部材により取付けた状態で示す下方からの拡大斜視図
【発明を実施するための形態】
【０００８】
＜第１実施形態＞
以下、二槽式洗濯機に適用した第１実施形態について、図１、図２を参照して説明する。図１に示す二槽式洗濯機（以下、単に洗濯機１とする）は、その外郭をなす外箱２、台板（図示略）、及び操作パネル３を備えると共に、図示しない洗濯槽の上方の開口を開閉する洗濯蓋４及び脱水槽の上方の開口を開閉する脱水蓋５を備えて構成されている。
【０００９】
具体的には、外箱２は、左右の側壁面２ａ，２ｂと前後の側壁面２ｃ，２ｄとで略各筒状をなして前記台板上に結合され、当該外箱２の上側後部に操作パネル３が配設されている。また、詳しい説明及び図示は省略するが、前記洗濯槽の外底部には洗濯モ−タが撹拌体を回転駆動するよう配設されており、前記脱水槽の外底部には脱水モータが脱水バスケットを高速回転駆動するよう配設されている。
【００１０】
図１に示すように、操作パネル３の表面には、洗濯タイマ摘み１１、脱水タイマ摘み１２、及び排水兼水流切換え摘み１３が回動操作可能に配設されており、操作パネル３の裏面側には、図示しない洗濯タイマや脱水タイマ等の電装品が内装されている。また、本実施形態の操作パネル３の表面には、これら摘み１１〜１３よりも左側の位置に、ブザー摘み１５が回動操作可能に配設されている。そして、操作パネル３の裏面側には、電装品としてのブザー１６の本体１６ａが内装されている。このブザー１６とその近傍の構成について、図２を参照しながら詳述する。
【００１１】
図２は、図１のＡ−Ａ線に沿う操作パネル３左端部の縦断側面図を示しており、ブザー１６の本体１６ａは、同図に示すように操作パネル３の上壁面３ａの裏側に、取付部材１７により取付け固定されている。詳しい図示は省略するが、ブザー１６の本体１６ａは、鉄心及びこれに巻回されたコイルと、当該鉄心に対応した振動板１６ｂとを備えた電装品本体である。ブザー１６は、前記コイルに給電端子１６ｃから交流電源を給電することによって、振動板１６ｂが振動することで発音する。この場合、ブザー１６において、後述する音量調節コマ１８を回動させることに伴い、このコマ１８先端の振動板１６ｂに対する当接位置が変化することにより、音量が調節される。
【００１２】
操作パネル３は例えば合成樹脂製のもので、図２に示すように、その上壁面３ａが若干前下がりに傾斜している。操作パネル３には、上壁面３ａ、前面壁３ｂ及び後壁面３ｃを覆う飾り板１９が上方から装着されている。この操作パネル３の左端部には、前後方向の略中間に位置させて、貫通穴２１ａが形成されている。貫通穴２１ａは、操作パネル３の上壁面３ａを板厚方向に貫通する円形状をなしており、飾り板１９の上壁面にも、この貫通穴２１ａと対応するように円形の貫通穴２１ｂが形成されている。本実施形態では説明の便宜上、これらの貫通穴２１ａ，２１ｂを総称して「操作パネル３の貫通穴２１」とする。この貫通穴２１によって、操作パネル３の外部と内部、つまり外方と内方が連通する。
【００１３】
操作パネル３の貫通穴２１には、上壁面３ａと直交する方向を中心軸線ＣＬとする回動軸２２が挿通されている。即ち、回動軸２２は、貫通穴２１よりも若干径小で、貫通穴２１の貫通する方向である略上下方向（厳密には中心軸線ＣＬ方向）を指向する。尚、操作パネル３の上壁面３ａを水平にしてもよく、この場合の貫通穴２１も、上壁面３ａを板厚方向に貫通するように形成されることで、回動軸２２は上下方向（縦方向）を指向するように配設される。
【００１４】
回動軸２２における外方（図２では壁面３ａの上方）側の端部には、前記ブザー摘み１５が一体に設けられている。即ち、回動操作部であるブザー摘み１５と回動軸２２とは、例えば合成樹脂材料を成形材料として、射出成型により一体形成された軸付摘み部材２０を構成する。軸付摘み部材２０のブザー摘み１５は、貫通穴２１から上方に突出しており、例えばユーザの手で挟むようにして摘まれる把持部１５ａとして一文字状（図３参照）に形成されている（丸棒状でもよい）。
【００１５】
軸付摘み部材２０における下部の回動軸２２には、下側開放状の嵌合穴部２２ａが形成されている。この嵌合穴部２２ａに音量調節コマ１８が固着されることで、軸付摘み部材２０（ブザー摘み１５）と音量調節コマ１８とが一体に回動する。音量調節コマ１８は回動することによりその先端の傾斜面がブザー１６の振動板１６ｂとなす角度が変化し、もって振動板１６ｂの振動可能な振幅を変化させることにより音量の調節を行っている。一方、ブザー１６の本体１６ａの上面には、側方（前後方向）に張出す張出片２３ａ，２３ｂが設けられると共に、その上面側で台形状をなすように屈曲形成された支持フレーム２４を有する。支持フレーム２４の中央には、回動軸２２の嵌合穴部２２ａに向けて上方に突出する筒状の支持部２４ａが一体形成されている。支持フレーム２４の支持部２４ａは、その下面側で音量調節コマ１８を回動可能に支持すると共に、上面側で嵌合穴部２２ａに嵌合した状態で軸付摘み部材２０を回動可能に支持する。
【００１６】
前記取付部材１７は、回動軸２２（音量調節コマ１８）の下端側に位置させて、ブザー１６の本体１６ａを操作パネル３内で取付け固定するためのものである。詳細には、取付部材１７は、ブザー１６の本体１６ａの上側を覆うように形成された覆い部１７ａと、覆い部１７ａの外周縁の囲い部１７ｂとを、合成樹脂材料の射出成型により一体形成した上方開放形容器状をなしている。取付部材１７の覆い部１７ａは、ブザー１６の本体１６ａにおける支持フレーム２４に沿って、上方が凸となる湾曲状をなす。覆い部１７ａの中央には、回動軸２２が挿通される挿通穴を構成する内周リブ１７ｃが一体形成されている。内周リブ１７ｃは、上方へ突出する筒状をなしている。また、取付部材１７は、その覆い部１７ａがブザー１６の本体１６ａを上側から覆う寸法形状をなす覆い部材として構成されている。
【００１７】
詳しい図示は省略するが、取付部材１７の囲い部１７ｂには、複数の第１ボス部１７ｄ（図２では１つのボス部１７ｄのみ図示）が一体形成されている。これらボス部１７ｄに、図示しないネジが挿通されて操作パネル３の上壁面３ａのネジ穴部（図示せず）に螺挿される。これにより、取付部材１７は、その囲い部１７ｂ上端を上壁面３ａの裏面に密着させた状態で、操作パネル３に取付け固定されている。
【００１８】
また、囲い部１７ｂには、後側（図２では左側）の第２ボス部１７ｅと前側（同図で右側）の掛止部１７ｆとが一体形成されている。ブザー１６の本体１６ａは、前側の張出片２３ｂを囲い部１７ｂの掛止部１７ｆに差し込んで引っ掛けた状態で、後側の張出片２３ａに挿通されたネジ２６を第２ボス部１７ｅのネジ穴１７ｇに螺挿することにより、取付部材１７に対して取付け固定されている。この場合、操作パネル３の上壁面３ａの下面側には、覆い部１７ａと囲い部１７ｂとで取付部材１７内の空間Ｓが画される一方、取付部材１７には、その底部（覆い部１７ａ）に切欠きから成る開口部２５が形成されている。この取付部材１７の開口部２５は、覆い部１７ａの端縁部上で囲い部１７ｂの一部を上下方向に切り欠いて形成されており、空間Ｓ内に水が浸入したとしても、その水が開口部２５から図示しない洗濯槽内に向け流下させ排水することで、ブザー１６の本体１６ａにかからないようになっている。
【００１９】
そして、軸付摘み部材２０における回動軸２２の外周部には、操作パネル３の貫通穴２１より径大なフランジ状の鍔部２７が一体形成されている。鍔部２７は、中心軸線ＣＬと直交する方向、つまり回動軸２２の径方向外側に延びて円板形をなし、操作パネル３の上壁面３ａの裏面に沿う位置にある。この鍔部２７の外周部には、内方に向けて延設された略筒状をなす外周リブ３０と、外方に向けて突設された壁側リブ３１とが一体形成されている。この延設方向における「内方」とは、厳密には中心軸線ＣＬ方向に沿う下方であり、「外方」とは中心軸線ＣＬ方向に沿う上方である。
【００２０】
鍔部２７の外周リブ３０及び取付部材１７の内周リブ１７ｃは、回動軸２２の径方向から見て相互に両者３０，１７ｃが重なり合うように内方及び外方に延びている。換言すれば、外周リブ３０の下方への延設寸法Ｌ１、及び内周リブ１７ｃの上方への延設寸法Ｌ２は、外周リブ３０で内周リブ１７ｃの周囲を囲繞する値に設定されている。図２の例では、内周リブ１７ｃの延設寸法Ｌ２が外周リブ３０の延設寸法Ｌ１よりも大きいが（符号Ｌ２＞Ｌ１）、夫々の延設寸法Ｌ１，Ｌ２は適宜変更してもよい。
【００２１】
外周リブ３０の下端には、その一部を下方に延長した延長リブ３０ａが形成されている。延長リブ３０ａは、取付部材１７の覆い部１７ａ上に設けられた、平面視にて「Ｃ」字状の回り止め部１７ｈに係止されることで、ブザー摘み１５の回動範囲（ひいては音量調節範囲）を規制する。
【００２２】
鍔部２７の壁側リブ３１は、外周リブ３０とは反対側に突出し、操作パネル３の上壁面３ａとの間隔を狭めるように（或いは上壁面３ａと密着するように）突設された環状のリブである。一方、操作パネル３における上壁面３ａの裏面には、鍔部２７を囲繞する下向きリブ２９が一体形成されている。下向きリブ２９は、鍔部２７から径方向外側に離間した位置に形成されている。このように、下向きリブ２９の径寸法Ｄ０は鍔部２７（外周リブ３０）の径寸法Ｄ１よりも大きく、且つ外周リブ３０の径寸法Ｄ１は内周リブ１７ｃの径寸法Ｄ２よりも大きく、且つ内周リブ１７ｃの径寸法Ｄ２は回動軸２２の径寸法Ｄ３よりも大きく設定され（Ｄ０＞Ｄ１＞Ｄ２＞Ｄ３）、これらのリブ２９，３０，１７ｃ及び回動軸２２が相互に接触しないように構成されている。このため、ブザー摘み１５の良好な回動操作を確保し、ブザー１６のスムーズな音量調節が可能とされている。
【００２３】
続いて、上記構成の作用について説明する。
操作パネル３の貫通穴２１から水が浸入した場合、その水は鍔部２７上に落ちるものの、壁側リブ３１により内部空間Ｓへの浸入がまず阻止される。またこの壁側リブ３１と上壁面３ａとの間の隙間から側方へ水が洩れたとしても、その水が側方に飛び散らないように下向きリブ２９で阻止され、外周リブ３０の外側あるいは下向きリブ２９の内側を伝って下方へ流れ落ちる。たとえ、内部空間Ｓへ浸入する水の量が僅かでないとしても、その水は、取付部材１７の開口部２５から流れ出るため、覆い部１７ａで覆われたブザー１６の本体１６ａに水がかかることはない。また、回動軸２２の取付構造或いは支持構造に関し、その支持部分に隙間（遊び）が必要的に設けられるとしても、本実施形態では、回動軸２２の周囲において、外周リブ３０と内周リブ１７ｃとがラビリンス構造をなしている。しかも、ラビリンス構造を構成する内側の内周リブ１７ｃが外周リブ３０の下端より上方へまで延設されていることから、内部空間Ｓへの水の浸入（特には回動軸２２の周囲からの水の浸入）に対してブザー１６を充分に防護することができ、ブザー１６の本体１６ａにおける錆や故障の発生を確実に防止することができる。
【００２４】
以上説明したように、本実施形態の洗濯機１は、外殻をなす壁面３ａの外方側からの操作が可能で、回動軸２２における前記外方の端部に設けられた回動操作部と、壁面３ａの内方にあって回動軸２２における前記内方の端部側に配置され、回動操作部の回動操作に基づき操作される電装品本体と、壁面３ａの内方側に位置して回動軸２２に設けられ、貫通穴２１より径大なフランジ状の鍔部２７と、鍔部２７の外周部に一体的に設けられ、内方に向けて延設された外周リブ３０と、回動軸２２に挿通される挿通穴を有し、鍔部２７と電装品本体との間にあって、当該電装品本体の外方側を覆うように配置された覆い部材（取付部材１７）と、覆い部材に一体的に設けられ、挿通穴を構成する筒状の内周リブ１７ｃとを備え、覆い部材の内周リブ１７ｃは、鍔部２７の外周リブ３０より径小で且つ外方たる上方に向けて延設されている。
【００２５】
これによれば、電装品の回動操作部用の貫通穴２１から水が浸入しても、鍔部２７により電装品本体側への水の浸入が阻止されると共に、覆い部材により電装品本体に直接水がかからない防水構造とすることができる。更には、電装品の回動軸２２の周りには、外周リブ３０よりも径小な内周リブ１７ｃが外方に向けて延設されているため、回動軸２２の周りから水が浸入し難いものとすることができ、電装品の故障を防止することができる。よって、パッキン等を使用しない安価な構成としながらも、電装品の充電部に水がかかりにくい安全な構成とすることができる。
【００２６】
前記覆い部材の内周リブ１７ｃと鍔部２７の外周リブ３０とは、回動軸２２の径方向から見て当該リブ１７ｃ、３０同士が重なり合うように延設することで、外周リブ３０で内周リブ１７ｃを囲繞するラビリンス構造とした。このように、電装品の回動軸２２の周囲は、２重のリブ１７ｃ、３０によるラビリンス構造をなすため、回動軸２２の周りからの水の浸入を極力抑制することができる。
【００２７】
鍔部２７の外周部に、外周リブ３０とは反対方向に、壁面３ａとの間隔を狭めるように突設された壁側リブ３１を有する。これによれば、鍔部２７の外周部において、壁側リブ３１により内部空間Ｓ側への水の浸入が阻止されるため、総じて電装品を、回動操作部用の貫通穴２１から浸入する水に対して充分に保護することができる。
【００２８】
＜第２実施形態＞
図３〜図５は、第２実施形態を示すものであり、第１実施形態と同一部分には同一符号を付し、第１実施形態と異なるところを説明する。
【００２９】
図３に示すように、第２実施形態の軸付摘み部材４０は、洗濯機１の背面の隅側に配設されており、洗濯機１の後方から操作される。即ち、洗濯機１の上部には、飾り板１９の後面たる側壁面１９ｄ（操作パネル３の側壁面３ｃや外箱２の側壁面２ｄでもよい）の左端部に位置させて貫通穴２１´が形成されている。貫通穴２１´は、第１実施形態の貫通穴２１と同じ形状をなす回動操作部用の円形穴である。ここで、図４は、図３のＢ−Ｂ線に沿う縦断側面図を示しており、側壁面１９ｄには、貫通穴２１´の周縁部に位置させて、外方（第２実施形態では後方となる）に突出する凸部４１が一体形成されている。
【００３０】
貫通穴２１´には、垂直面である側壁面１９ｄと直交する横方向、つまり前後方向を中心軸線ＣＬとする回動軸４２が挿通されている。回動軸４２は、貫通穴２１´よりも若干径小とされている。回動軸４２は、その後部に射出成型により一体形成された前記ブザー摘み１５を有し、当該摘み１５と共に軸付摘み部材４０を構成する。ブザー摘み１５の把持部１５ａは、貫通穴２１´から後方に突出している。
【００３１】
軸付摘み部材４０における前部の回動軸４２には、前側開放状の嵌合穴部４２ａが形成されている。この嵌合穴部４２ａに音量調節コマ１８´が固着されることで、軸付摘み部材４０は音量調節コマ１８´と一体に回動する。支持フレーム２４の支持部２４ａは、その内周部で音量調節コマ１８´を回動可能に支持すると共に、外周部で嵌合穴部４２ａに嵌合した状態で軸付摘み部材４０を回動可能に支持する。
【００３２】
ブザー１６の本体１６ａは、取付部材３７によって、回動軸４２（音量調節コマ１８´）の前端側の位置で取付け固定されている。図５にも示すように、取付部材３７は、円筒状をなす後側の第１囲い部３７ａと、角筒状をなす前側の第２囲い部３７ｂとでブザー１６の本体１６ａを囲う段付き形状をなしている。詳しい図示は省略するが、取付部材３７における第１囲い部３７ａの外周部には、複数のボス部３７ｃ（図５に１つのボス部３７ｃのみ図示）が一体形成されている。これらボス部３７ｃには図示しないネジ穴が形成されており、外箱２の側壁面１９ｄの挿通穴２ｄ（図３参照）に挿通された図示しないネジが、ボス部３７ｃのネジ穴に螺挿される。これにより、取付部材３７は、その第１囲い部３７ａ後端を側壁面１９ｄの内面に密着させた状態で、外箱２に取付け固定されている。
【００３３】
また、第１囲い部３７ａの内周部には、図４に示すように、上側の係止部３７ｅと下側の係止部３７ｆとが一体形成されている。前記ブザー１６の本体１６ａは、一方の張出片２３ｂを上側の係止部３７ｅに、他方の張出片２３ａを下側の係止部３７ｆに夫々合わせるようにして、第１囲い部３７ａの開放端側（図４では後方側）から嵌め込むことで、取付部材３７内に係止されている。この場合、側壁面１９ｄと取付部材３７とで内部空間Ｓ´が画される一方、取付部材３７の底部には、係止部３７ｆの下側に位置させて、開口部３７ｄが形成されている（図５参照）。従って、空間Ｓ´内に水が浸入したとしても、その水が取付部材３７の開口部３７ｄから流下するため、ブザー１６の本体１６ａが水に浸ることはない。
【００３４】
そして、軸付摘み部材４０における回動軸４２の外周部には、操作パネル３の貫通穴２１´より径大なフランジ状の鍔部４３が一体形成されている。鍔部４３は、中心軸線ＣＬと直交する方向、つまり回動軸４２の径方向外側に延びて円板形をなし、側壁面１９ｄに近接した位置にある。この場合、側壁面１９ｄの内方（本実施形態では前方）側において、当該側壁面１９ｄに対し鍔部４３の少なくとも一部が面接触するようにしてもよい。
【００３５】
取付部材３７の第２囲い部３７ｂには、後方に延びる庇部３７ｇが設けられている。庇部３７ｇは、ブザー１６の給電端子１６ｃを上側から覆う形状をなしており、取付部材３７に上側から水がかかったとしても、その水が給電端子１６ｃにかからないようになっている。
【００３６】
しかも、上記した貫通穴２１´では、その周縁部の凸部４１によって側壁面１９ｄの外面を伝う水等の浸入が阻止される。更に、軸付摘み部材４０の鍔部４３によって、貫通穴２１´から水が浸入しないように或いはブザー１６の本体１６ａに水がからない防水構造となっており、取付部材３７内に水が浸入したとしても、その水は取付部材３７の底部の開口部３７ｄから流下する。
【００３７】
以上説明したように、本第２実施形態の洗濯機１は、その外殻をなす壁面のうちの側壁面１９ｄを貫通する貫通穴２１´に対して、その貫通する方向である横方向に延びるように配置された回動軸４２と、側壁面１９ｄの外方側からの操作が可能で、回動軸４２における外方の端部に設けられた回動操作部と、側壁面１９ｄの内方にあって回動軸４２における内方の端部側に配置され、回動操作部の回動操作に基づき操作される電装品本体と、側壁面１９ｄの内方側に位置して回動軸４２に設けられ、貫通穴２１´より径大なフランジ状の鍔部４３とを備え、回動軸４２の鍔部４３を側壁面１９ｄに近接させた。
【００３８】
これによれば、回動軸４２の鍔部４３は、貫通穴２１´を内方から塞ぐように配置されることから、貫通穴２１´からの水の浸入を阻止することができる。また、回動操作部用の貫通穴２１´は側壁面１９ｄに形成されているので、洗濯機１における略水平面（上壁面３ａ等）に形成された貫通穴に比して水がかかりにくく、前記鍔部４３の配置構成と相俟って電装品本体を水の浸入に対し充分に防護することができる。
【００３９】
電装品本体を囲う形状をなし、側壁面１９ｄに対して当該電装品本体を取付けるための取付部材３７を備え、取付部材３７は、その底部に開口部３７ｄを有するとともに、側壁面１９ｄに対して密着するように固定されている。これによれば、取付部材３７内に侵入した水を開口部３７ｄから流下させ、電装品本体に対する水の浸入を防止することができる。また、取付部材３７は、電装品本体を囲う形状をなしていることから、仮に洗濯機１の内部で取付部材３７の上部から水が落ちてきても、電装品本体に水がかからないようにすることができる。
【００４０】
側壁面１９ｄにおける貫通穴２１´の周縁部に、当該側壁面１９ｄの外方に突出する凸部４１を設けた。これによれば、凸部４１によって、側壁面１９ｄの外面を伝う水等が貫通穴２１´から浸入することを阻止することができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４２】
例えば、洗濯機としては、図示した二槽式洗濯機１に限らず、電装品を備える種々の洗濯機に適用することができる。電装品はブザー１６に限定するものではなく、例えばタイムスイッチや水流切替スイッチなど回動操作部を有する各種の電装品を対象として上記した防水対策を施すことができる。また、回動操作部用の貫通穴は、上記した貫通穴２１，２１´の位置に限らず、操作パネル３や外箱２を構成する壁面の任意の位置に設けるようにしてもよい。
【符号の説明】
【００４３】
図面中、１は洗濯機、３ａは壁面、１５は回動操作部、１７ｃは内周リブ、１９ｄは側壁面、２１，２１´は貫通穴、２２，４２は回転軸、２７は鍔部、３０は外周リブ、３１は壁側リブ、３７ｄは開口部、４１は凸部、４３は鍔部を示す。
【図１】
2015160076.tif 000003
【図２】
2015160076.tif 000004
【図３】
2015160076.tif 000005
【図４】
2015160076.tif 000006
【図５】
2015160076.tif 000007